(57)【特許請求の範囲】
【請求項１】
軸本体内に少なくともシャープペンシルユニットを含む筆記体を前後動可能に複数配置し、それらの筆記体の後端にスライダーの前端を連結すると共に、該スライダーを前記軸本体に設けられた摺動溝に前後動自在に配置した筆記具において、前記少なくともシャープペンシルユニットをスライダーに対して回転不能に連結すると共に、前記シャープペンシルユニットの芯タンクを軸本体の中心軸線方向に向かって屈曲させた筆記具。
【発明の詳細な説明】
【技術分野】
【０００１】
本発明は、軸本体内に少なくともシャープペンシルユニットを含む筆記体を前後動可能に複数配置し、それらの筆記体の後端にスライダーの前端を連結すると共に、該スライダーを前記軸本体に設けられた摺動溝に前後動自在に配置した筆記具に関する。
【背景技術】
【０００２】
１例として、付勢部材によって後方へ付勢されている押子であって、その付勢力に抗する前方へのスライドに伴って軸筒求心方向へ沈み込んで軸筒周壁の係止部に係止される押子を備え、その押子を前記係止部に係止させることでシャープペンシルやボールペンなどの筆記体の筆記部を突出状態に維持し、同押子を前記係止部から外し後方へスライドさせることで筆記部を没入させるようにした出没式筆記具がある。
【０００３】
しかし、前記の従来技術にあっては、筆記部の突出状態において筆記体が撓んだ状態で維持されてしまうといった問題があった（特許文献１の図１参照）。つまり、筆記体が突出する過程で、押子の後部が軸筒求心方向に沈み込む一方、押子の前部が軸筒の内壁面側に向けて移動し、これによって押子が傾く。この傾きによって筆記体である、例えば、シャープユニットも軸筒の内壁面に向かって傾こうとするが、軸筒の内壁面によってその傾きが規制されてしまうことになる。その結果、シャープペンシルユニットは湾曲した状態になる。これに加え、シャープペンシルユニットの先端は、軸筒の中心に形成されている突出孔に導かれるため、シャープペンシルユニットの前記の湾曲がさらに助長されることになってしまう。
そのシャープペンシルユニットの湾曲作用は、特に重大な問題である。即ち、シャープペンシルユニットの一つである芯タンクや、その芯タンクの前方に取り付けられている先部材との連結部分が湾曲してしまうため、芯が自重で落下することができなくなってしまい、芯が繰り出せなくなってしまうばかりでなく、ややもすると、芯が折損してしまうのである。
【０００４】
そこで、前記の問題、即ち、筆記体（シャープペンシルユニット）の湾曲作用を防止するために種々の開発がなされた。その１例が、筆記具用軸の内部に、シャープペンシルを含む複数種類の筆記体が収納され、各筆記体は筆先部を軸先端口において交互に出没しうるように構成された複式筆記具であって、上記シャープペンシルは、シャープペンシル本体と、上記シャープペンシル本体の後端部に連設された芯タンクと、上記芯タンクの後端部に接合された繰出操作部材とを備えた複式筆記具において、上記芯タンクは金属製であると共に、上記繰出操作部材の先端部には、上記芯タンクの軸方向に沿って折り曲げ可能に形成された接合部が設けられている複式筆記具である。
【特許文献１】特開２００７−１１８２２０号公報。
【特許文献２】特開２００５−１１１８７６号公報。
【発明の概要】
【発明が解決しようとする課題】
【０００５】
前述の複合筆記具のシャープペンシルユニットは、接合部を支点に芯タンク及びシャープペンシル本体が折り曲げ可能に形成されているため、一度折り曲げた後も、接合部を支点として３６０度の方向に自由に曲がる構造となっている。
このため、軸筒にシャープペンシルユニットを配置する際に、組み立てが困難になるという問題や、組み立てた後もシャープペンシルユニットが軸筒内で安定せず、ふらついてしまいカタカタと音を立ててしまったり、振動によって芯が砕かれたりしてしまう危険性があった。
【課題を解決するための手段】
【０００６】
そこで、本発明は、軸本体内に少なくともシャープペンシルユニットを含む筆記体を前後動可能に複数配置し、それらの筆記体の後端にスライダーの前端を連結すると共に、該スライダーを前記軸本体に設けられた摺動溝に前後動自在に配置した筆記具において、前記少なくともシャープペンシルユニットをスライダーに対して回転不能に連結すると共に、前記シャープペンシルユニットの芯タンクを軸本体の中心軸線方向に向かって屈曲させた筆記具を要旨とする。
【発明の効果】
【０００７】
本発明は、軸本体内に少なくともシャープペンシルユニットを含む筆記体を前後動可能に複数配置し、それらの筆記体の後端にスライダーの前端を連結すると共に、該スライダーを前記軸本体に設けられた摺動溝に前後動自在に配置した筆記具において、前記少なくともシャープペンシルユニットをスライダーに対して回転不能に連結すると共に、前記シャープペンシルユニットの芯タンクを軸本体の中心軸線方向に向かって屈曲させたので、シャープペンシルユニットの軸本体への組み立てを容易に行うことができると共に、組み立てた後においても屈曲状態が維持されるため、安定した芯の繰出し動作が得られる。
【図面の簡単な説明】
【０００８】
【図１】本発明を示す外観正面図。
【図２】図１の側面図。
【図３】図２の縦断面図。
【図４】本発明のスライダー単体斜視図
【図５】シャープペンシルユニットの縦断面図
【図６】図１の上面図。
【図７】図１のＷ−Ｗ線断面図。
【図８】図７のＶ部拡大
【図９】図１のＸ−Ｘ線断面図。
【図１０】図１のＹ−Ｙ線断面図。
【図１１】図６のＺ−Ｚ線断面図。
【図１２】ボールペンリフィルと接続部材とスライダーとの連結状態を示す外観斜視図。
【図１３】図１２における分解要部拡大図。
【図１４】スライダーの正面図。
【図１５】接続部材の外観斜視図。
【図１６】接続部材の正面図。
【図１７】図１６の側面図。
【図１８】シャープペンシルユニットと接続部材とスライダーとの連結状態を示す外観斜視図。
【図１９】図１８における分解要部拡大図。
【図２０】図１２、図１８のＡ−Ａ線断面図。
【図２１】図１２、図１８のＢ−Ｂ線断面図。
【図２２】（ａ）動作を示す外観斜視図（スライダー後退位置）。 （ｂ）動作を示す外観斜視図（スライダー前進位置）。
【図２３】図２２（ｂ）の縦断面図。
【発明を実施するための形態】
【０００９】
作用について説明する。シャープペンシルユニットのスライダーが押圧された際、そのスライダーの後部が軸心方向に向かって沈み込むが、シャープペンシルユニットの後部が屈曲しているため、シャープペンシルユニットの前方部は直線状が維持される。
本実施例を図１〜図２１に示し説明する。尚、図中下方を前方と言い、上方を後方と言う。例として黒色と赤色の２色からなるボールペンリフィル、及びシャープペンシルユニットが摺動自在に配置されている多芯筆記具である。参照符号１は、軸本体であり、その軸本体１は、前軸２と後軸３とより構成されている。また、本例において、前軸２は、先部材４と中軸５の螺合構造により構成されているが、凸凹嵌合で圧入されていても良いし、一体的に形成されていても良い。しかし、後述する筆記体の交換や成形の容易性を考慮すると２部材とし、着脱自在に固定した方が良い。また、前記先部材４の内径部には、先端側へ向かって徐々に径が小さくなる円錐部４ａが形成されている。そして、その先部材４の先端には、筆記体が出没する突出孔４ｂが形成されている。
【００１０】
前記後軸３には、その長手方向に３個のスリット６が形成されている。本例においては、３個のスリット６が形成されているが、筆記体であるボールペンリフィルの数が２本と、シャープペンシルユニットの数が１本であるためであり、この筆記体の本数によってスリットの形成する数も変わるものである。また、スリット６は、後軸３の一方の端部まで形成されていると共に、スリット６の両側には、摺動溝７がほぼ一直線上に形成されている。又、後軸３には、摺動溝７と長手方向に略同じ長さのスライド面３ａが形成されている。しかし、この摺動溝７、及びスライド面３ａは、スリット６の両側の全長に渡って形成されているのではなく、中間部までしか形成されていない。スライド面３ａは、後述する摺動突起１２の背面を受けている。また、前記スリット６の摺動溝７よりも軸心側は、幅の狭い幅狭スリット部６ａとなっている。
前記後軸３の前方には断面の形状が外側に円弧部を有する半月形をした脚部８が１２０度間隔の位置に形成されている。この脚部８は、スリット６が形成されることにより形成される。よって、筆記体の数によって脚部８の数は変わる。その脚部８の外接円径は、後軸３の最大外径よりも小さく形成されている。
符号９は、後軸３に一体的に形成されたクリップ部であるが、別部材で構成し後軸３に固定などしても良い。符号１０は、前記クリップ部９の前方内面に形成された玉部であって、その玉部１０は前記中軸５の表面に当接している。
【００１１】
前記後軸３のスリット６には、透明、或いは、着色された半透明な材質からなるスライダー１１が摺動自在に配置されている。該スライダー１１は、ボールペンリフィル用のスライダー１１Ｂとシャープペンシルユニット用のスライダー１１Ｓがある。このスライダー１１Ｂ、１１Ｓの長手方向の両側には、摺動突起１２が形成されており、前記スリット６に形成された摺動溝７に摺動可能に係合している。このスライダー１１Ｂ、Ｓの背面には、延出部１１１を介して間隔をおいて２つの解除突起１３、１４が形成されており、また、スライダー１１Ｂ、１１Ｓの前方の内側には、長手方向に孔１１ａが形成されている。その孔１１ａの正面方向から見て内面には、平面部１１ｂが形成されており、その平面部１１ｂに対応するスライダー１１Ｂ、１１Ｓの外面には円弧状の曲面部１１ｃが形成されている。これらの内面に形成された平面部１１ｂと外面に形成された曲面部１１ｃとによって光の屈折が発生しレンズ効果が得られるようになっている。
なお、スライダー１１Ｓには、前記スリット６の幅より略大きい幅の略半球状のツバ部１１Ｓｄが形成されている。そのツバ部１１Ｓｄにより幅広になることで、シャープペンシルユニットの突出操作が向上すると共に、芯出し操作も容易に行え、また、その芯出し操作の際、スライダー１１Ｓが後軸３の軸芯方向に没入してしまうのを防止する。
更に、スライダー１１Ｂ、Ｓの側面には３個の孔１１Ｓｆが設けられているが、それらは、貫通孔と非貫通孔とから構成されている。具体的に説明すると、解除突起１３の近傍に形成されている孔１１Ｓｆと、解除突起１４の近傍に形成されている孔１１Ｓｆは、延設部１１１を貫通した貫通孔となっており、一方、スライダー１１の前方部に形成された孔１１Ｓｆは非貫通孔となっている。そして、前記貫通孔である孔１１Ｓｆは、幅狭スリット部６ａに位置しているものの、その孔１１Ｓｆの半分が幅狭スリット部６ａから露出している。孔１１Ｓｆの半分程度を幅狭スリット部６ａから露出させることによって、その孔１１Ｓｆに貯留されたゴミや埃を孔１１Ｓｆの両開口部から効率的に排出できるようにしているのである。一方、非貫通孔である孔１１Ｓｆの一部は、摺動突起１２に位置している。即ち、摺動突起１２の一部分が孔１１Ｓｆによって切り欠かれている。これによって、摺動突起１２の前方部分に弾力性が発生し、多少の寸法上のばらつきが発生したとしてもスムーズな摺動動作が得られるようになる。
また、貫通した孔１１Ｓｆの内周面のほぼ中央部には、微細な突起が円周上に形成されている。内周面に円周上の突起を形成することによって、スライダーを樹脂成型品とした場合、後述するようにその成形性の向上が図られる。
尚、本例においては、孔１１Ｓｆの断面形状を円形としているが、楕円や三角、四角、多角形、或いはこれらの組合せた形状としても良いが、スライダー１１Ｓを成形品とした場合には、その成形性を考慮すると丸形状が良い。また、孔１１Ｓｆの数は、本例では３箇所としているが、１個所であっても良いし、４個所や５個所などであっても良い。
【００１２】
そして、スライダー１１Ｂの孔１１ａには、後述する筆記体に収納されるインキの色と略同色な色を有した接続部材１５の一端部（後方部１５ａ）が着脱自在に挿着されており、その接続部材１５の他端部（前方部１５ｂ）には、ポリプロピレンやナイロンなどの樹脂材質からなる円筒状のボールペンリフィル１６Ｂが接続されている。
一方、スライダー１１Ｓの孔１１ａには、シャープペンシルに使用する芯の色と略同色な色を有した、或いは、芯径を示す表示がなされた接続部材１５の一端部（後方部１５ａ）が着脱自在ではあるものの、回転は不能に挿着されているが、接着などの手段によって着脱不能に固定するなどしても良い。また、その接続部材１５の他端部（前方部１５ｂ）には、ポリプロピレンやナイロンなどの樹脂材質、或いは金属材からなる円筒状のシャープペンシルユニット１６Ｓの芯タンク１６１がカシメ加工（カシメ部１６１ａ）によって回転不能に接続されている。そのカシメ部１６１ａは、円周状に渡って形成されている。
尚、前記ボールペンリフィル１６Ｂは、インキを収容するポリプロピレンなどの樹脂材質で押し出し成形によって形成されたインキ収容管１６Ｂａと、そのインキ収容管１６Ｂａの前方に圧入されたボールペンチップ１６Ｂｂなどから構成されている。又、シャープペンシルユニット１６Ｓは、芯を複数本収容しポリプロピレンなどの樹脂材質や金属材質で成形された芯タンク１６１と、その芯タンク１６１の前方に継ぎ手部材１６２を介して取り付けられた芯の把持・開放を行うチャック体１６３と、そのチャック体１６３の前方を囲繞すると共にチャック体１６３の開閉を行うチャックリング１６４、並びに、前記チャック体１６３を覆うように配置されたガイド筒１６６、そして、そのガイド筒１６６と前記継ぎ手部材１６２との間に配置され、チャック体１６３や芯タンク１６１を後方に向けて付勢するコイルスプリングなどからなる弾撥部材１６６とから構成されている。また、前記ガイド筒１６５の先端には、先部材１６７が螺合などの手段によって着脱自在に取り付けられており、その先部材１６７の内方には、繰り出された芯の後方への移動を規制するゴム状弾性体からなる芯戻り止め部材１６８が内設している。
また、前記芯タンク１６１は、前記接続部材１５との連結部近傍において、屈曲しており（屈曲部１６１ｂ；図１８（ａ）、（ｂ）参照）、軸本体１に装着した際、シャープペンシルユニット１６Ｓｂの前方部が軸本体１の中心軸線方向に向かうようになっている。
ここで、前記スライダー１１Ｂ、１１Ｓは、透明、或いは、着色された半透明な材質で形成されているため、その内部に位置する前記接続部材１５の色や表示を容易に識別することができる。これに加え、スライダー１１Ｂ、１１Ｓには平面部１１ｂと曲面部１１ｃが形成されているため、それによって得られるレンズ効果によって、前記接続部材１５の色をさらに容易に識別することができるようになる。
【００１３】
前記接続部材１５の中間部には、大径部１５ｃが形成されており、後方部１５ａの孔１１ａに対する過度な挿入と、前方部１５ｂの筆記体１６Ｂ、或いは１６Ｓに対する過度な挿入が防止されている。また、接続部材１５の後方部１５ａには、スライダー１１Ｂ、１１Ｓの孔１１ａに対する挿着・嵌合を良好なものとなすために円周状の嵌合突起１５ｄが形成される一方、前方部１５ｂには筆記体１６Ｂ、１１Ｓに空気が侵入するための平面部１５ｅが形成されている。その平面部１５ｅは、９０度の角度をもって４方に形成されている。即ち、接続部材１５の前方部１５ｂの横断面形状は、正方形状をなしている。また、４つの平面部１５ｅには、筆記体１６Ｂ、１６Ｓとの良好な係合・嵌合力を得るために突起１５ｆ、１５ｇが部分的に形成されているが、突起同士が重ならないようになっている。即ち、４つの平面部１５ｅに形成された各々の突起１５ｆは、長手方向、並びに、周方向に対して異なった位置に形成されている、具体的に説明すると、前方の対向した位置に形成された突起１５ｆと離隔して、後方にはその突起１５ｆと９０度の角度をもって突起１５ｇが対向して形成されている。前記インキの消費に伴うボールペンリフィル１６Ｂ、１１Ｓ内部への空気の侵入を確実なものとしていると共に、樹脂材質からなる筆記体１６Ｂａ、芯タンク１６１の塑性変形による接続部材１５からの脱落を防止している。つまり、前方に形成された突起１５ｆによってボールペンリフィル１６Ｂａ、芯タンク１６１が楕円状に膨出（膨出部１６Ｂｃ、芯タンクについては省略する。）すると共に、後方に形成された突起１５ｇによって、前記膨出部とは９０度の角度をもって該部分も膨出部１６Ｂｄが形成される。即ち、互いが９０度の方向で膨出する反面、その膨出した方向と９０度回転した方向は縮径させられるため、筆記体１６Ｂ、芯タンク１６１の内面が突起１５ｆ、１５ｇに食い込むようになり各々の係合部がより強固になると共に、それら接続部材１５と筆記体１６Ｂ、並びに、芯タンク１６１との相対的な回転が防止される（図２０、図２１参照；図中点線１６Ｂｅは、本来の筆記体１６Ｂの内面形状である。）。
【００１４】
また、前記突起１５ｆや１５ｇは、その断面形状が矢型状をなしているが、前方に位置する突起１５ｆのボールペンリフィル１６への挿着側は、鈍角（α）に形成されており、一方、離脱側は鋭角（β）に形成されている。ちなみに、本例においては、挿入側を約１５０度に形成し、離脱側を７０度に形成している。
尚、前記スライダー１１Ｂ、１１Ｓの前端部には、後述する弾撥部材１７の外径部を保持する延出部１１ｄが形成されている。延出部１１ｄ間の長さは、弾撥部材１７外径よりも若干短く形成されており、これによって弾撥部材１７は延出部１１ｄに圧入された状態となっている。即ち、ボールペンリフィル１６Ｂ、シャープペンシルユニット１６Ｓを交換する際にも弾撥部材１７がスライダー１１Ｂ、１１Ｓの前端部から外れないようになっている。また、前記スライダー１１Ｂ、１１Ｓの接続部材１５（後方部１５ａ）に対する挿着力（嵌合力）は、ボールペンリフィル１６Ｂ、シャープペンシルユニット１６Ｓの接続部材１５（前方部１５ｂ）に対する挿着力（嵌合力）よりも弱く設定されている。即ち、筆記体１６Ｂ、１６Ｓをスライダー１１Ｂ、１１Ｓに対して離脱させようとすると、ボールペンリフィル１６Ｂと接続部材１５、シャープペンシルユニット１６Ｓと接続部材１５が連結された状態でスライダー１１Ｂ、１１Ｓから離脱する。
参照符号１７は、ボールペンリフィル１６Ｂ並びにボールペンリフィル１６に接続するスライダー１１Ｂ、或いは、シャープペンシルユニット１６Ｓ並びにシャープペンシルユニット１６Ｓに接続するスライダー１１Ｓを後方に付勢するコイルスプリングなどの弾撥部材である。
【００１５】
次に、前記中軸５について、具体的に説明する。前記前軸２の１部材である中軸５の中間部には、規制部１８が形成されており、その規制部１８には、筆記体１６Ｂ、１６Ｓが遊挿する３つの貫通孔１９が形成されており、前記規制部１８に弾撥部材１７の一端を係止させることにより、筆記体１６Ｂ、１６Ｓを後方に付勢している。また、中軸５の内側で、規制部１８の後方には、長手方向に３つの溝部２０が形成されており、この溝部２０に前記後軸３の脚部８が摺接され、組み立て時に脚部８が案内されるようになっている。また、その溝部２０は、脚部８の断面形状とほぼ同形をなしている。即ち、外側に円弧部を有する半月形となっている。
【００１６】
次に動作について、図３、図２２、図２３に示し説明する。スライダー１１Ｓを前方（図２２中左斜め上方）に押圧すると、スライダー１１Ｓは、後軸３のスリット６並びに摺動溝７、スリット６ａに案内されながら、シャープペンシルユニット１６Ｓを伴い前進し、シャープペンシルユニット１６Ｓの先端が軸本体１の先端より突出する（突出状態は図示せず）。同時に、スライダー１１Ｓが後軸３の内方である軸芯方向に押し込まれるが、ツバ部１１Ｓｄが、後軸３のスリット６の両側の外周面に当接し、スライダーＳの押し込みが規制される。次いで、スライダー１１Ｓの側面部に形成されている摺動突起１２の後端（図２３では上方）が、摺動溝７の前端部に係合し、シャープペンシルユニット１６Ｓの後退作用を阻止し、シャープペンシルユニット１６Ｓの前進位置が維持される。つまり、この摺動溝７をスリット６の中間部までしか形成しないことにより、スライダー１１Ｓの係合をも兼ねるようになっている。このシャープペンシルユニット１６Ｓの突出過程において、前記スライダー１１やスライダー２２の後部が軸本体１の中心軸線方向に向かって沈み込み、シャープペンシルユニット１６Ｓの前方部が軸本体１の内壁面に接近しようとするが、シャープペンシルユニット１６Ｓは、その後部にて回転不可能にて屈曲しているため、前方部は直線を維持した状態で突出する。これによって、芯の繰り出し動作が良好なものとなる。
ここで、シャープペンシルユニット１６Ｓの先端が前記軸本体１の先端より突出した前進位置において、スライダー１１Ｓのツバ部１１Ｓｄの上部１１Ｓｅを前方方向へ押圧操作すると、シャープペンシルユニット１６Ｓの先部材１６７が、前記先部材４の内径部の先端側へ向かって徐々に径が小さくなる円錐部４ａに当接し、シャープペンシルユニット１６Ｓの前進移動が阻止される。ここで、さらに、スライダー１１Ｓを押圧操作すると、芯タンク１６１やチャック体１６３が弾撥部材１６６の弾発力に抗して前進し、これによって芯の繰り出しがなされる。
この芯繰り出し操作の過程で、スライダー１１Ｓのツバ部１１Ｓｄが後軸３の外周面を摺接している。よって、従来技術にあるような、スライダー１１Ｓの摺動突起１２を受けるために、後軸３の摺動溝７の軸芯方向側に、更なる摺動溝やスライド面を設ける必要はない。
【００１７】
次に、シャープペンシルユニット１６Ｓを軸本体１に収納したい場合には、他のスライダー１１Ｂを押圧する。他のスライダー１１Ｂを押圧すると、互いのスライダー１１Ｓ、１１Ｂの背面に形成されている解除突起１３、１４が衝突する。この衝突作用により、押圧されている状態にあるスライダー１１Ｓが後軸３の外側方向に押圧される。そして、この押圧作用により、前記スライダー１１Ｓの摺動突起１２と摺動溝７との係合が解除され、その解除作用により突出している状態にあるシャープペンシルユニット１６Ｓが弾撥部材１７の作用により後退し軸本体１内に没入し、スライダー１１Ｓは元の後退位置まで戻ることになる。
尚、図２２（ｂ）は、スライダー１１Ｓが前進した状態を図示している。この状態では、後軸３は、スリット６、並びに、幅狭スリット部６ａが大きな空間部となっている。この状態では勿論、更に芯の繰り出し作動を行うと、空間部にゴミや埃などの異物が入り易くなる。その結果、ゴミや埃などの異物がスリット６や幅狭スリット部６ａの壁面、及び、スライド面３ａに貼り付きやすい状態になっている。
但し、スリット６は外周面に近いのでゴミや埃などの異物は取り除き易く、スライド面３ａは、摺動突起１２の背面が接しながら摺動しているので、ゴミや埃などの異物は掻き出し易くなっている。しかし、幅狭スリット部６ａは、軸心近傍に位置しているため、ゴミや埃などの異物を取り除き難くなっている。そこで、本実施例においては、シャープペンシルユニット１６Ｓを軸本体１に収納する後退動作により、スライダー１１Ｓの孔１１Ｓｆが、幅狭スリット部６ａのゴミや埃を掻き取るように除去すると共に、孔１１Ｓｆに掻き取った異物を貯留するのである。そして、貯留した後においては、孔１１Ｓｆの幅狭スリット部６ａから露出した部分から排出されるのである。
【００１８】
本実施例の多芯筆記具においては、軸の軸心近傍に位置する幅狭スリット部６ａにゴミが入り込んだ場合でも、前記スライダー１１Ｓの孔１１Ｓｆをゴミや埃などの異物の貯留部として機能させることができる。その結果、スライダー１１Ｓを後軸３のスリット６や幅狭スリット部６ａに沿って容易に摺動させることができる。しかも、孔１１Ｓｆを摺動する部分に形成することによって、スライダー１１Ｓと幅狭スリット部６ａとの接触する面積を減らすことができ、このことによっても、スライダー１１Ｓを後軸３のスリット６に沿って容易に摺動させることができるようになる。
また、ボールペン用スライダー１１Ｂに孔を形成した場合においても、摺動抵抗が軽減されるため、弾撥部材１７の荷重を低減させてもスムーズに復帰（後退・没入）させることができる。即ち、スライダーの後退時におけるスリット後端部への当接・衝撃力が緩和されるものとなる。つまり、インキの種類によっては、後退時の衝撃力によって筆記不良になってしまう場合があり、弾撥部材の荷重をできるだけ低く設定する必要があるためである。
更に、スライダー１１Ｓに孔１１Ｓｆを設けることによって、成形形状の効果も得られる。即ち、孔１１Ｓｆを形成するピンが金型に配置されるが、このピンが孔１１Ｓｆを形成する役目と、成形されたスライダー１１Ｓをピンが配置されている側のキャビティに残留させる役目を果たすのである。また、本実施例においては、前述の通り、孔１１Ｓｆの内面に円周上の突起を形成しているため、ピンへの残留が確実なものとなる。ちなみに、ピンを配置しない金型にあっては、その金型を割型構造とした場合に、一方の割型（キャビティ）に成形品が残留する確率は少なく、成形不良を起こしてしまう危険性が高い。
【符号の説明】
【００１９】
１      軸本体
２      前軸
３      後軸
３ａ    スライド面
４      先部材
４ａ    円錐部
４ｂ    突出孔
５      中軸
６      スリット
６ａ    スリット
７      摺動溝
８      脚部
９      クリップ部
１０      玉部
１１      スライダー
１１１    延出部
１１Ｂ    ボールペンリフィル用のスライダー
１１Ｓ    シャープペンシルユニット用のスライダー
１１Ｓｄ  ツバ部
１１Ｓｅ  上部
１１Ｓｆ  孔
１１ａ    孔
１１ｂ    平面部
１１ｃ    円弧状の曲面部
１１ｄ    延出部
１２      摺動突起
１３      解除突起
１４      解除突起
１５      接続部材
１５ａ    後方部
１５ｂ    前方部
１５ｃ    大径部
１５ｄ    嵌合突起
１５ｅ    平面部
１５ｆ    突起
１５ｇ    突起
１６Ｂ    ボールペンリフィル
１６Ｂａ  インキ収容管
１６Ｂｂ  ボールペンチップ
１６Ｂｃ  膨出部
１６Ｂｄ  膨出部
１６Ｂｅ  内面形状
１６Ｓ    シャープペンシルユニット
１６Ｓａ  芯タンク
１６Ｓｂ  シャープペンシルセット
１６１    芯タンク
１６２    継ぎ手部材
１６３    チャック体
１６４    チャックリング
１６５    ガイド筒
１６６    弾発部材
１６７    先部材
１６８    芯戻り止め部材
１７      弾撥部材
１８      規制部
１９      貫通孔
２０      溝部
【図２２】
0005549201.tif 000002
【図２３】
0005549201.tif 000003
【図１】
0005549201.tif 000004
【図２】
0005549201.tif 000005
【図３】
0005549201.tif 000006
【図４】
0005549201.tif 000007
【図５】
0005549201.tif 000008
【図６】
0005549201.tif 000009
【図７】
0005549201.tif 000010
【図８】
0005549201.tif 000011
【図９】
0005549201.tif 000012
【図１０】
0005549201.tif 000013
【図１１】
0005549201.tif 000014
【図１２】
0005549201.tif 000015
【図１３】
0005549201.tif 000016
【図１４】
0005549201.tif 000017
【図１５】
0005549201.tif 000018
【図１６】
0005549201.tif 000019
【図１７】
0005549201.tif 000020
【図１８】
0005549201.tif 000021
【図１９】
0005549201.tif 000022
【図２０】
0005549201.tif 000023
【図２１】
0005549201.tif 000024